(57)【要約】      （修正有）【課題】自然に近い水の湿潤給水と同時に、酸素もできる限り土媒体へ、供給される状態が形成される、自然的水空気併合供給装置を提供する。【解決手段】植物が植えられる媒体へ水および酸素を同時に供給する供給装置であって、媒体へ供給される水を収容する貯水部Ｂ−１〜Ｂ−２と、媒体へ供給される酸素を含む空気が滞留する空気部Ａ−１〜Ａ−２と、を備える供給装置である。【選択図】図１
2020025470.tif 000002
【特許請求の範囲】
【請求項１】
植物が植えられる媒体へ水および酸素を同時に供給する供給装置であって、
前記媒体へ供給される前記水を収容する貯水部と、
前記媒体へ供給される前記酸素を含む空気が滞留する空気部と、
を備えることを特徴とする供給装置。
【請求項２】
前記媒体を収容する内鉢を備え、
前記貯水部および前記空気部は、前記内鉢の外壁面へ取付けられており、
前記貯水部が取付けられている前記内鉢の前記外壁面は、前記水が流通することができるように構成されており、
前記空気部が取付けられている前記内鉢の前記外壁面は、前記空気が流通することができるように構成されていることを特徴とする請求項１に記載の供給装置。
【請求項３】
前記水は、パイプ状空洞体を通って、前記貯水部から前記媒体へ供給されることを特徴とする請求項１または２に記載の供給装置。
【請求項４】
前記内鉢の前記外壁面は、素焼き部として構成されており、
前記貯水部の、前記内鉢の前記外壁面へ取付けられていない部分は、前記水が流通することができないように塗装されていることを特徴とする請求項２に記載の供給装置。
【請求項５】
前記貯水部および前記空気部は、前記内鉢の前記外壁面から取外し可能であることを特徴とする請求項２に記載の供給装置。
【請求項６】
前記空気部が取付けられている前記内鉢の前記外壁面には、前記空気が流通することができる空気流通孔が穿孔されていることを特徴とする請求項２に記載の供給装置。
【発明の詳細な説明】
【技術分野】
【０００１】
本発明は、植物が植えられる媒体へ水を供給するための供給装置に関する。
【背景技術】
【０００２】
外鉢とこの外鉢の内側に固定された内鉢とを備え、内鉢内には草木の根を収容する第一収容部を備え、内鉢と外鉢間には水を収容する第二収容部を備え、外鉢が水を浸透させず、内鉢が水を浸透させる植木鉢が、知られている（たとえば、特許文献１参照）。
【０００３】
すなわち、このような水浸透鉢や、底面給水や透明水槽の中の鉢による鉢内へ水を浸透する器具は、すでに知られている。
【０００４】
また、素焼きなど水浸透鉢そのものから自然湿潤によって水を供給する器具も、すでに知られている。
【先行技術文献】
【特許文献】
【０００５】
【特許文献１】特開２００３−３１９７１６号公報
【発明の概要】
【発明が解決しようとする課題】
【０００６】
しかしながら、上述された従来の植木鉢のような器具は、必ずしも植物に十分に適した栽培環境を実現するものではない。
【０００７】
まず、水と酸素が同時に供給されるべきものとして意識的に扱っている訳でないので、本発明者は何かさらなる必要性を感じていた。
【０００８】
さらに、貯水部より水を供給する装置として貯水部と育成用の容器とは分離した構造のものがあるが、機械的な電動ポンプなどの動力による水耕装置などで強制的に水と酸素を供給するものであった。
【０００９】
これに対して、盆栽などの園芸では自然条件と手作業の巧みな手間により植物体が、謂わば、美術造形的に育成されている。
【００１０】
本発明者は、植物体の特に根部を観察すると、水と同時に空気および酸素が必要条件であり、土の隙間へ酸素が欠かせないことに気付いた。
【００１１】
しかしながら、実際の鉢等では水やりの際と乾燥時の土の隙間へ上部表面からの自然混入等に頼っている。
【００１２】
そして、植物の生長が盛んで、充分な人の手による世話ができない時などには、根が混みあってきて酸素が必要な量だけ根に届かないといった状況が発生する。また、土自体の状況等で、やはり同様の酸素不足の状態になる事態も引き起こされることがある。
【００１３】
そこで、本発明者は、自然に近い水の湿潤給水と同時に、酸素もできる限り土媒体へ、供給される状態が形成される、自然的水空気併合供給を意識的に目指せばよいことに想到した。
【００１４】
本発明は、上述された従来の課題を考慮し、植物により適した栽培環境を実現することができる供給装置を提供することを目的とする。
【課題を解決するための手段】
【００１５】
第１の本発明は、植物が植えられる媒体へ水および酸素を同時に供給する供給装置であって、
前記媒体へ供給される前記水を収容する貯水部と、
前記媒体へ供給される前記酸素を含む空気が滞留する空気部と、
を備えることを特徴とする供給装置である。
【００１６】
第２の本発明は、前記媒体を収容する内鉢を備え、
前記貯水部および前記空気部は、前記内鉢の外壁面へ取付けられており、
前記貯水部が取付けられている前記内鉢の前記外壁面は、前記水が流通することができるように構成されており、
前記空気部が取付けられている前記内鉢の前記外壁面は、前記空気が流通することができるように構成されていることを特徴とする第１の本発明の供給装置である。
【００１７】
第３の本発明は、前記水は、パイプ状空洞体を通って、前記貯水部から前記媒体へ供給されることを特徴とする第１または第２の本発明の供給装置である。
【００１８】
第４の本発明は、前記内鉢の前記外壁面は、素焼き部として構成されており、
前記貯水部の、前記内鉢の前記外壁面へ取付けられていない部分は、前記水が流通することができないように塗装されていることを特徴とする第２の本発明の供給装置である。
【００１９】
第５の本発明は、前記貯水部および前記空気部は、前記内鉢の前記外壁面から取外し可能であることを特徴とする第２の本発明の供給装置である。
【００２０】
第６の本発明は、前記空気部が取付けられている前記内鉢の前記外壁面には、前記空気が流通することができる空気流通孔が穿孔されていることを特徴とする第２の本発明の供給装置である。
【発明の効果】
【００２１】
本発明により、植物により適した栽培環境を実現することが可能な供給装置を提供することができる。
【図面の簡単な説明】
【００２２】
【図１】本発明における実施の形態の水空気併合供給器具の斜視図
【図２】本発明における実施の形態の水空気併合供給器具の平面図
【図３】本発明における実施の形態の水空気併合供給器具の断面図（その一）
【図４】本発明における実施の形態の水空気併合供給器具の断面図（その二）
【図５】本発明における実施の形態の水空気併合供給器具の正面図
【図６】本発明における変形例（その一）の実施の形態の水空気併合供給器具の断面図
【図７】本発明における変形例（その一）の実施の形態の水空気併合供給器具の拡大部分断面図
【図８】本発明における変形例（その二）の実施の形態の水空気併合供給器具の平面図
【図９】本発明における変形例（その三）の実施の形態の水空気併合供給器具の平面図
【図１０】本発明における変形例（その三）の実施の形態の水空気併合供給器具の断面図
【図１１】本発明における変形例（その四）の実施の形態の水空気併合供給器具の正面図
【図１２】本発明における変形例（その四）の実施の形態の水空気併合供給器具の平面図
【図１３】本発明における変形例（その五）の実施の形態の水空気併合供給器具の平面図
【発明を実施するための形態】
【００２３】
以下、図面を参照しながら、本発明における実施の形態について説明する。
【００２４】
図１は本発明における実施の形態の植物栽培のための水空気併合供給器具の模式的な斜視図であり、図２は本発明における実施の形態の模式的な平面図であり、図３は本発明における実施の形態の模式的なＸ−Ｘ’線断面図としての正面断面図であり、図４は本発明における実施の形態の模式的なＹ−Ｙ’線断面図としての空気部断面図であり、図５は本発明における実施の形態の模式的な正面図である。
【００２５】
図６は本発明における空気部内壁面に空気孔を設置する場合のＹ−Ｙ’線断面図としての図であり、図７は上記図６のＤ近傍の拡大図である。
【００２６】
図８は、変形例の図である。
【００２７】
図９は本発明における水供給部に液体供給装置を使った平面図であり、図１０は上記図９のＸ−Ｘ’線断面図としての正面断面図である。
【００２８】
図１１は本発明における分離設置型の例の図であり、図１２は上記図１１の平面図である。
【００２９】
図１３は、本発明における分離設置型の変形例の図である。
【００３０】
内鉢内壁部分１−１〜１−７は、内鉢１の内壁の部分である。内鉢接続界５は製造時の成形において形成される境界部分であり、外側接続界６は製造時の成形において形成される境界部分である。
【００３１】
貯水部外側壁２−１〜２−７は貯水部Ｂ−１〜Ｂ−７の外側壁であり、貯水部外側壁２−８は分離設置型の貯水部Ｂ−８の外側壁である。
【００３２】
空気部外側壁３−１〜３−７は空気部Ａ−１〜Ａ−７の外側壁であり、空気部外側壁３−８〜３−１０は分離設置型の空気部Ａ−８〜Ａ−１０の外側壁である。
【００３３】
排水口４は、フィルターなどが取付けられてもよい排水口である。
【００３４】
鉢固定脚７は、内鉢１を固定する脚である。排水栓８、８−３〜８−５は排水のための脱着可能な栓であり、空気部底栓９は、たとえば、虫の侵入を防ぐための底栓である。
【００３５】
空気部底栓９に関して補足的に説明すると、蓋（図示省略）をさらに付ければ、空気の流れを防ぎ状態変化の少ない空間が形成され、このような蓋および空気部底栓９を取れば、空気が流通する空間が形成される。空気部Ａ−１およびＡ−２のそれぞれにおいては２個の空気部底栓９が利用されており、合計で４（＝２×２）個の空気部底栓９が利用されている。
【００３６】
排水栓支柱支持１３は排水栓支柱１５の支持であり、排水栓つまみ１４は排水栓８−５のつまみであり、排水栓支柱１５は排水栓８−５の支柱である。
【００３７】
本実施の形態は、土などの媒体を収容する鉢のような植物栽培容器へ水供給部と空気供給部を併合設置して、植物栽培における根部分の環境を、自然な形でより良好な状態として、鉢その他の容器栽培等の植物生育栽培条件の改良を提供する。
【００３８】
本実施の形態の水空気併合供給器具は、植物が植えられる媒体へ水および酸素を同時に供給する、本発明の供給装置の一例である。
【００３９】
貯水部Ｂ−１〜Ｂ−９は媒体へ供給される水を収容する部材であり、空気部Ａ−１〜Ａ−１５は媒体へ供給される酸素を含む空気が滞留する部材である。
【００４０】
より具体的には、本実施の形態の水空気併合供給器具は、栽培媒体の土等に対してできるだけ水と酸素を同時に供給するために、貯水部Ｂ−１〜Ｂ−９と空気部Ａ−１〜Ａ−１５を同時に構造的に配置して植物体の根部へ自然な形で水分と酸素が同時に供給される構造を持つ栽培容器具である。
【００４１】
内鉢１は、媒体を収容する部材である。
【００４２】
貯水部Ｂ−１〜Ｂ−７および空気部Ａ−１〜Ａ−７は、内鉢１の外壁面へ取付けられている。
【００４３】
貯水部Ｂ−１〜Ｂ−７が取付けられている内鉢１の外壁面は、水が流通することができるように構成されている。
【００４４】
空気部Ａ−１〜Ａ−７が取付けられている内鉢１の外壁面は、空気が流通することができるように構成されている。
【００４５】
より具体的には、本実施の形態の水空気併合供給器具は、貯水部Ｂ−１〜Ｂ−７と空気部Ａ−１〜Ａ−７を同時に併存させることにより栽培容器が複層構造となり、外部の熱や冷気などの気象状況を、より緩和する構造を有する。
【００４６】
図１が手段の標準図でもある。
【００４７】
内鉢１の外壁面は、素焼き部として構成されている。
【００４８】
貯水部Ｂ−１〜Ｂ−７の、内鉢１の外壁面へ取付けられていない部分は、水が流通することができないように塗装されている。
【００４９】
より具体的には、本実施の形態の水空気併合供給器具は、素焼き部と塗装部を内在することにより貯水部Ｂ−１〜Ｂ−７と空気部Ａ−１〜Ａ−７を同時に併存させて水分と酸素を同時にできるだけ栽培媒体全体へ供給する構造を有する。
【００５０】
このような水浸透素材としては素焼き材が自然素材として使用価値のあるものであるとして特に取りあげた。
【００５１】
素材は、合成樹脂などの素材でも、液体供給装置利用等により水がより自然に土などへ浸透していく素材であってもかまわない。
【００５２】
まず、貯水部の設置がある鉢であるが、その設置と同時に空気層のあるスペースも確保する。
【００５３】
空気部Ａ−１−２およびＡ−２−２が取付けられている内鉢１の外壁面には、空気が流通することができる空気流通孔１０−１〜１０−２が穿孔されている。
【００５４】
より具体的には、本実施の形態の水空気併合供給器具は、栽培媒体の土等に対して空気との接触面を増加させるため空気と栽培媒体の土の間の壁面へ適度な角度で穿孔するなどの空気流通孔１０−１〜１０−２のある構造を有する。
【００５５】
この空気部はより空気の流通がよい素焼き素材や合成樹脂などでは空気の流通をよくする工夫がなされたもの、例えば、微小な空気部側壁に穿孔された空気孔としての空気流通孔１０−１〜１０−２が適当な大きさと数で開けられたものなどであってもかまわない。大気中の酸素が土の表面のみならず容器内部の根全体に対して、土の深部まで接触できるよう内鉢の外側空気部から酸素流通の良好な壁を通じて、根との自然な接触を促す。同時に先ほどの貯水部の設置が併設され、より適度な浸透水性のある素焼き壁等により水は自然条件に近い速度で土へ湿潤してゆく。この貯水部の構造については、内側の素焼き壁を水分が湿潤していくように、望ましくは、外側の内側面に焼き付け釉か塗料などで水の浸透が内側方向に進行するように工夫し加工する。
【００５６】
水は、パイプ状空洞体を通って、貯水部Ｂ−７から媒体へ供給される。
【００５７】
より具体的には、本実施の形態の水空気併合供給器具は、液体供給装置設置のための貯水部Ｂ−７がある構造で空気と水分を同時に供給する。
【００５８】
このような液体供給装置は、たとえば、後述の液体供給装置Ｆ（図９および１０参照）として実現可能であり、水の本来の性質を利用して、植物が育成されている土へ無駄なく水湿潤効果を発揮することができる。
【００５９】
本発明者は、山里などにおける自然の植物が一年を通じて土に残っている水で生育しているように、プランターまたは鉢などへ水をより自然に移動させる育成植物への水供給が望ましいと考えている。
【００６０】
たとえば、土の側部および下部にパイプ状空洞体を設置し、特に人工的に加圧することなく、水が土などの吸水条件に応じて供給される水移動媒介装置は、このような望ましい水供給を実現する。
【００６１】
図６のようにパイプ状空洞体を有する液体供給装置Ｆを設置できる貯水部Ｂ−７を設けることも可能である。この場合、貯水部内側全面へ塗装釉等をコーティングすることによって水の漏水を防ぐ。Ｂ−６は先ほどの貯水部と同様であるので、植物栽培者等が栽培条件に合わせて貯水するか、空洞の状態にするか、栽培状況に合わせて選択調整できる。
【００６２】
この栽培器での水の供給について、人が自分の手で注水することは普通に可能である。本実施の形態の効果は手作業を中心としながら補助的に、このしくみを利用することにより快適便利な園芸を楽しむことでもある。このように土中部への水と酸素の供給を意識的に配慮することにより、土全体へより自然な形で水と酸素が取り入れられることを可能とする。つまり、鉢などの容器栽培園芸について内側の栽培容器と外側の水と空気の層を有する複層鉢であり、本実施の形態は水と空気を二分することなく天然条件に非常に近いものとして一体化して構成し提供するものである。この構造は結果的に外部の暑さ寒さの気候変動を緩和して根への影響を良好とする。併せて容器外側面へ絵柄を塗布デザインすることも可能である。手園芸の本来の目的である心理的癒し効用が期待される配色絵柄も自由である。
【００６３】
貯水部Ｂ−８〜Ｂ−９および空気部Ａ−８〜Ａ−１５は、内鉢１の外壁面から取外し可能である。
【００６４】
より具体的には、本実施の形態の水空気併合供給器具は、栽培容器等から分離した貯水部と空気部を同時に併存させかつ供給する装置である。
【００６５】
図８〜図１０に示すように容器一体型でなくても、水と酸素同時供給型の装置により大きな箱型栽培容器に本実施の形態の手段を提供することができる。
【００６６】
本実施の形態により特に水と酸素の供給について旧来の栽培容器等の条件から脱して、自然条件を充分生かしながら植物体の根部へ、より自然な形で供給が行われるため根部の環境を整え良好な形態が保全される。このことにより植物栽培者等の栽培環境や手間を一層快適で便利なものにすることができる。
【００６７】
次に、図１を中心としながら、本実施の形態についてより具体的に説明する。
【００６８】
図１は斜視図でＡ−１、Ａ−２は空気部、Ｂ−１、Ｂ−２は貯水部で、従来になかった特に意識的に空気部と貯水部を併合した側壁面を利用して酸素と水を供給する。又、この構造により必然的に側面が複層構造となるため、外部の温度変化や刺激を緩和して根の環境を保全する。
【００６９】
この空気層と土などの媒体については、例えば、酸素の流通により適した素材による素焼き壁を介在させ利用して土などの媒体と酸素の接触を良好なものとする。合成樹脂壁の場合では、適度な間隔で適度な大きさの孔を開けるなど土などの媒体と酸素の接触を良好なものする。
【００７０】
次に、貯水部Ｂ−１〜Ｂ−２は上記空気部Ａ−１〜Ａ−２と併合して設置して酸素と同時に水を供給する部分である。内鉢と接合して、この場合は、内鉢が素焼き素材であるが、空気部壁素材と貯水部壁素材をそれぞれ機能にあった素材を使用して、５の内鉢接続界で両者を融合し接合する。また、例えば、図６で示した液体供給装置Ｆを使用して、土を湿潤させて水を供給することができる。この際の貯水部Ｂ−７の内側は塗装等で防水構造となっている。Ｂ−１〜Ｂ−２については内側が素焼き材で貯水した水は土を湿潤して土等の媒体へ浸透する。Ｂ−１〜Ｂ−２の外側面は釉薬で塗装焼き付けするなどして防水効果を持たせる。全体として容器外側面は絵柄などの塗装を行い防水効果のほか外観で楽しむデザインも可能である。図５のＣ−１は外側面の絵柄の一例であるが、植物本体や花などと共に鉢面の印象もこの様な鉢園芸では大切な要素となってくるはずである。
【００７１】
一方、貯水部使用の途中であっても、人の手で鉢への注水作業は可能である。水分を必要としない時は、排水栓８を抜いて調整することができる。同様に空気部底の栓を抜いて空気の流通を制御して熱気やゴミの滞留などを防ぐ操作もできる。
【００７２】
このように、空気部、貯水部について蓋をすることによりゴミや虫などの侵入を防ぐことができる。蓋の形状や色は様々な変化が可能であるが、本実施の形態の趣旨は自然的に空気部と貯水部の配置を育成状況に合わせて適当に効果的に設置することであるので、形状や色などのデザインは様々であってもよい。
【００７３】
図６、図７は空気部内壁の変形事例で、内壁をさらに空気の流通を円滑活性化するために、状況に合わせて適切な口径と数の孔を外側から内側へ下向きとなるように設置する。
【００７４】
断面模式図でＤは一部拡大されており、図７は拡大図である。また、分離設置型であっても同様の空気接触面増加のための孔を設けることができる。
【００７５】
さらに、図８は図２の変形例の図である。図９、図１０は液体供給装置Ｆを使用する例の図である。Ｂ−７はＦのための貯水部で内側へ防水コーティングを施し貯水漏水しない構造とする。焼き物の鉢の場合、内側を釉薬で防水することができる。Ｂ−６は図１〜４の対応する部材と同様の構造であるが、無論、貯水しないで空洞化して置くことも可能であり、栽培者の必要性に応じて巧みに使い分けることができる。８は排水栓である。Ｂ−６とＢ−７は空気部と境界をなしていて水と酸素が同時に供給される構造を成している。図９は図１０の平面図である。
【００７６】
図１１〜図１３は分離設置型例の図であり、Ａ−８〜Ａ−１５は空気部で空気を供給する部分である。Ｂ−８は貯水部で水を供給する部分である。なお、この分離型の空気部と貯水部を結節部材（結節バンド等）で連結することは自由にできる。図１３は分離設置型の変形例の図である。Ａ−１１〜Ａ−１５は空気部であり、Ｂ−９は貯水部である。又、貯水部と空気部の併合配置は、その時々または場合によって、設置配列を変えて行うことができる。この分離設置型は既成の大型鉢や箱容器などへ配置し併設して施用する。
【００７７】
貯水部外側壁２−８の、大型鉢などの外壁面へ取付けられる部分は、大型鉢などの外壁面の形状に応じて成形されているか、大型鉢などの外壁面の形状に応じて変形可能であることが望ましい。そして、このような部分は、貯水部外側壁２−８が取付けられる大型鉢などの外壁面の部分とともに、水が流通することができるように構成されている。
【００７８】
空気部外側壁３−８〜３−１０の、大型鉢などの外壁面へ取付けられる部分は、大型鉢などの外壁面の形状に応じて成形されているか、大型鉢などの外壁面の形状に応じて変形可能であることが望ましい。そして、このような部分は、空気部外側壁３−８〜３−１０が取付けられる大型鉢などの外壁面の部分とともに、空気が流通することができるように構成されている。
【００７９】
なお、所々示したように、土などの媒体と水、土などの媒体と空気がより自然な形で流通して根部環境が良好に保全されるならば、例えば、液体供給装置を使うなどすれば、必ずしも陶器素材等でなく、合成樹脂素材の使用も可能である。
【００８０】
本実施の形態において貯水部と空気部を独立して進化させこれを再び接合して同時に効果的に機能させることにより、園芸家の栽培条件の選択肢を豊富なものとして、特に大型の箱容器等でも植物体の根部環境を良好にして植物体の育成条件を改善する。
【産業上の利用可能性】
【００８１】
本発明における供給装置は、植物により適した栽培環境を実現することができ、たとえば、植物が植えられる媒体へ水を供給するための供給装置に利用する目的に有用である。
【符号の説明】
【００８２】
１                  内鉢
１−１〜１−７      内鉢内壁部分
２−１〜２−８      貯水部外側壁
３−１〜３−１０      空気部外側壁
４                  排水口・フィルター
５                  内鉢接続界
６                  外側接続界
７                  鉢固定脚
８、８−３〜８−５  排水栓
９                  空気部底栓
Ａ−１〜Ａ−１５    空気部
Ｂ−１〜Ｂ−９      貯水部
Ｃ−１              絵柄塗装
１０−１〜１０−２  空気流通孔
Ｆ                  液体供給装置
１３                排水栓支柱支持
１４                排水栓つまみ
１５                排水栓支柱
【図１】
2020025470.tif 000003
【図２】
2020025470.tif 000004
【図３】
2020025470.tif 000005
【図４】
2020025470.tif 000006
【図５】
2020025470.tif 000007
【図６】
2020025470.tif 000008
【図７】
2020025470.tif 000009
【図８】
2020025470.tif 000010
【図９】
2020025470.tif 000011
【図１０】
2020025470.tif 000012
【図１１】
2020025470.tif 000013
【図１２】
2020025470.tif 000014
【図１３】
2020025470.tif 000015